【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
複数の記録素子を有する記録ヘッドと、記録媒体と、の少なくとも一方を複数回走査させ、それぞれ前記記録ヘッド内の一部の記録素子から構成される複数の記録素子群から前記複数回の走査によって記録媒体上の単位領域に画像を記録するために、前記単位領域に記録する画像に対応する画像データを処理する画像処理方法であって、
前記複数の記録素子群に対応し、前記単位領域に対する画像の記録のために前記複数の記録素子群それぞれを使用する比率に対応する複数の寄与率を取得する第１取得工程と、
前記複数の記録素子群それぞれの記録特性に関する記録特性情報を取得する第２取得工程と、
前記複数の寄与率と前記記録特性情報に基づいて前記画像データを補正する補正工程と
を備えることを特徴とする画像処理方法。
【請求項２】
前記画像を記録する際の記録条件に関する記録条件情報を取得する第３取得工程を更に備え、
前記第１取得工程において、前記記録条件情報に基づいて前記寄与率を取得することを特徴とする請求項１に記載の画像処理方法。
【請求項３】
前記記録特性情報は、前記複数の記録素子群それぞれによって記録された複数のパッチそれぞれの測定結果に基づく情報であることを特徴とする請求項１または２に記載の画像処理方法。
【請求項４】
前記記録特性情報は、前記複数の記録素子群に対応し、前記測定結果に基づいて得られる前記複数の記録素子群それぞれの濃度値を、ターゲット値に近づけるために用いる複数の第１補正値であることを特徴とする請求項３に記載の画像処理方法。
【請求項５】
前記補正工程において、前記複数の記録素子群それぞれに対応する前記寄与率と前記第１補正値を乗じ、記録素子群ごとに得られた値を足し合わせることにより、第２補正値を生成し、前記第２補正値を用いて前記画像データを補正することを特徴とする請求項４に記載の画像処理方法。
【請求項６】
前記画像データは、多値のデータであることを特徴とする請求項１から５のいずれか１項に記載の画像処理方法。
【請求項７】
前記補正工程において補正された前記画像データに対し、前記複数の記録素子群に対応し、記録を許容する記録許容画素と記録を許容しない非記録許容画素が配置された複数のマスクパターンを適用し、前記複数の記録素子群による記録に用いる記録データを生成する生成工程と、を更に備え、
前記複数の記録素子群のうちの対象の記録素子群に対応する前記寄与率は、前記複数のマスクパターンにおける記録許容画素の数の合計に対する、前記対象の記録素子群に対応するマスクパターンにおける記録許容画素の数の比率であることを特徴とする請求項１から６のいずれか１項に記載の画像処理方法。
【請求項８】
前記複数の寄与率の合計は１００％であることを特徴とする請求項１から７のいずれか１項に記載の画像処理方法。
【請求項９】
前記記録ヘッドは副走査方向に前記複数の記録素子が配列し、前記複数回の走査は、前記記録ヘッドを前記副走査方向と交差する主走査方向に移動させることにより行われることを特徴とする請求項１から８のいずれか１項に記載の画像処理方法。
【請求項１０】
前記複数回の相対走査の間に、前記記録媒体が前記副走査方向に搬送されることを特徴とする請求項９に記載の画像処理方法。
【請求項１１】
前記記録ヘッドは、同じ色の記録材に対応する記録素子列を前記主走査方向に複数列備え、前記単位領域は、前記複数の記録素子列それぞれの少なくとも１つの記録素子群を用いて記録されることを特徴とする請求項１から１０のいずれか１項に記載の画像処理方法。
【請求項１２】
前記複数回の走査は、固定された前記記録ヘッドに対して前記記録媒体を搬送することにより行われることを特徴とする請求項１から８のいずれか１項に記載の画像処理方法。
【請求項１３】
前記複数の記録素子群は、それぞれ少なくとも１以上の記録素子を含むことを特徴とする請求項１から１２のいずれか１項に記載の画像処理方法。
【請求項１４】
前記記録素子は、インクを吐出するインクジェット記録素子であることを特徴とする請求項１から１３のいずれか１項に記載の画像処理方法。
【請求項１５】
請求項１から１４のいずれか１項に記載の画像処理方法をコンピュータに実行させるためのプログラム。
【請求項１６】
複数の記録素子を有する記録ヘッドと、記録媒体と、の少なくとも一方を複数回走査させ、それぞれ前記記録ヘッド内の一部の記録素子から構成される複数の記録素子群から前記複数回の走査によって記録媒体上の単位領域に画像を記録するために、前記単位領域に記録する画像に対応する画像データを処理する画像処理装置であって、
前記複数の記録素子群に対応し、前記単位領域に対する画像の記録のために前記複数の記録素子群それぞれを使用する比率である複数の寄与率を取得する第１取得手段と、
前記複数の記録素子群それぞれの記録特性に関する記録特性情報を取得する第２取得手段と、
前記複数の寄与率と前記記録特性情報に基づいて前記画像データを補正する補正手段と
を備えることを特徴とする画像処理装置。
【請求項１７】
前記記録特性情報は、前記複数の記録素子群それぞれによって記録された複数のパッチそれぞれの測定結果に基づく情報であることを特徴とする請求項１６に記載の画像処理装置。
【請求項１８】
前記記録特性情報は、前記複数の記録素子群に対応し、前記測定結果に基づいて得られる前記複数の記録素子群それぞれの濃度値を、ターゲット値に近づけるために用いる複数の第１補正値であることを特徴とする請求項１７に記載の画像処理装置。
【請求項１９】
前記補正手段は、前記複数の記録素子群それぞれに対応する前記寄与率と前記第１補正値を乗じ、記録素子群ごとに得られた値を足し合わせることにより、第２補正値を生成し、前記第２補正値を用いて前記画像データを補正することを特徴とする請求項１８に記載の画像処理装置。
【請求項２０】
前記補正手段によって補正された前記画像データに対し、前記複数の記録素子群に対応し、記録を許容する記録許容画素と記録を許容しない非記録許容画素が配置された複数のマスクパターンを適用し、前記複数の記録素子群による記録に用いる記録データを生成する生成手段と、を更に備え、
前記複数の記録素子群のうちの対象の記録素子群に対応する前記寄与率は、前記複数のマスクパターンにおける記録許容画素の数の合計に対する、前記対象の記録素子群に対応するマスクパターンにおける記録許容画素の数の比率であることを特徴とする請求項１６から１９のいずれか１項に記載の画像処理装置。
【請求項２１】
複数の記録素子を有する記録ヘッドと、記録媒体と、の少なくとも一方を複数回走査させ、それぞれ前記記録ヘッド内の一部の記録素子から構成される複数の記録素子群から前記複数回の走査によって記録媒体上の単位領域に画像を記録する記録装置であって、
前記単位領域に記録する画像に対応する画像データを取得する第１取得手段と、
前記複数の記録素子群に対応し、前記単位領域に対する画像の記録のために前記複数の記録素子群それぞれを使用する比率である複数の寄与率を取得する第２取得手段と、
前記複数の記録素子群それぞれの記録特性に関する記録特性情報を取得する第３取得手段と、
前記複数の寄与率と前記記録特性情報に基づいて前記画像データを補正する補正手段と、
前記記録ヘッドを用いて、前記補正手段により補正された前記画像データに基づいて前記記録媒体上に画像を記録する記録手段と、
を備えることを特徴とする記録装置。
【手続補正２】
【補正対象書類名】明細書
【補正対象項目名】００１０
【補正方法】変更
【補正の内容】
【００１０】
このような課題を鑑み、本願発明は、複数の記録素子を有する記録ヘッドと、記録媒体と、の少なくとも一方を複数回走査させ、それぞれ前記記録ヘッド内の一部の記録素子から構成される複数の記録素子群から前記複数回の走査によって記録媒体上の単位領域に画像を記録するために、前記単位領域に記録する画像に対応する画像データを処理する画像処理方法であって、前記複数の記録素子群に対応し、前記単位領域に対する画像の記録のために前記複数の記録素子群それぞれを使用する比率に対応する複数の寄与率を取得する第１取得工程と、前記複数の記録素子群それぞれの記録特性に関する記録特性情報を取得する第２取得工程と、前記複数の寄与率と前記記録特性情報に基づいて前記画像データを補正する補正工程とを備えることを特徴とする。